(57)【特許請求の範囲】
【請求項１】
趾端部と反対側の踵端部とを有し、前記趾端部と前記踵端部との間に延在する対向する右側と左側とを有し、且つ、底部表面と反対側の頂部表面とを有する底を含み、
前記靴底に取り付けられる可撓性材料の甲を含み、該甲は、前記底から前記甲の頂部縁部まで上向きに延び、前記甲頂部縁部は、前足開口と、前記甲内部の前記靴の内部への踝開口とを定め、
前記底の前記頂部表面に取り付けられる可撓性材料の第一舌部を含み、該第一舌部は、前記底の前記頂部表面から、前記前足開口を通じて、前記踝開口に位置付けられる前記第一舌部の遠位端部まで上向きに延びる長さを有し、
前記第一舌部の下で前記底の前記頂部表面に取り付けられる可撓性材料の第二舌部を含み、該第二舌部は、前記底の前記頂部表面から、前記前足開口を通じて、前記踝開口に位置付けられる前記第二舌部の遠位端部まで上向きに延びる長さを有し、前記第二舌部は、前記第一舌部から分離され、前記第一舌部及び前記第二舌部が互いに別個に移動されることを可能にし、
前記第二舌部は、前記第一舌部の視覚的外観と異なる視覚的外観を有する材料で構成される、
靴構造。
【請求項２】
前記前足開口の１つの側に一列に配置される第一の複数の孔と、前記前足開口の反対側に一列に配置される第二の複数の孔と、
前記前足開口を横断して並びに前記第一舌部及び前記第二舌部を横断して、前記第一の複数の孔と前記第二の複数の孔との間に延在する、少なくとも１つの調節可能な締結具とをさらに含む、
請求項１に記載の靴構造。
【請求項３】
前記少なくとも１つの調節可能な締結具は、前記第一の複数の孔及び前記第二の複数の孔の両方の孔を通じて延在する紐であり、
前記第一舌部及び前記第二舌部の両方は、前記靴内部と前記紐との間に位置付けられる、
請求項２に記載の靴構造。
【請求項４】
前記第一舌部及び前記第二舌部の長さは、前記前足開口を全体的に通じて延在する、請求項２に記載の靴構造。
【請求項５】
前記第一舌部及び前記第二舌部は、実質的に等しい幅を有し、前記第一舌部及び前記第二舌部は、実質的に等しい長さを有する、請求項１に記載の靴構造。
【請求項６】
前記第一舌部は、対向する側部縁部を有し、前記第二舌部は、対向する側部縁部を有し、前記第一舌部の前記対向する側部縁部は、前記第二舌部の前記対向する側部縁部と一致して重なり合う、請求項１に記載の靴構造。
【請求項７】
前記第一舌部は、遠位端部を有し、前記第二舌部は、遠位端部を有し、前記第一舌部の前記遠位端部は、前記第二舌部の前記遠位端部と一致して重なり合う、請求項１に記載の靴構造。
【請求項８】
前記第一舌部及び前記第二舌部は、異なる視覚的外観を有する、請求項１に記載の靴構造。
【請求項９】
前記第一舌部及び前記第二舌部は、異なる材料で構成される、請求項１に記載の靴構造。
【請求項１０】
前記第一舌部は、前記第一舌部長さの対向する側部に沿って延在する対向する側部縁部と、前記第一舌部の前記遠位端部にある遠位端部縁部とを有し、
前記第二舌部は、前記第二舌部長さの対向する側部に沿って延在する対向する側部縁部と、前記第二舌部の前記遠位端部にある遠位端部縁部とを有し、
前記第二舌部の側部縁部は、前記第一舌部の側部縁部から分離され、前記第二舌部の遠位端部縁部は、前記第一舌部の側部縁部から分離される、
請求項１に記載の靴構造。
【請求項１１】
趾端部と、反対の踵端部とを有し、前記趾端部と前記踵端部との間に延在する対向する右側と左側とを有し、且つ、底部表面と反対側の頂部表面とを有する底を含み、
前記底に取り付けられる可撓性材料の甲を含み、前記甲は、前記底右側から上向きに延びる右側部分と、前記底踵端部から上向きに延びる踵部分と、前記底左側から上向きに延びる左側部分とを有し、前記甲の右側部分及び左側部分は、前記右側部分と前記左側部分との間に靴の内部への前足開口を定め、
前記靴の右側及び左側に取り付けられる可撓性材料の爪革を含み、該爪革は、前記前足開口の底部端部を定め、
前記爪革に取り付けられる可撓性材料の第一舌部を含み、該第一舌部は、対向する右側縁部と左側縁部とを備える長さを有し、該第一舌部の長さは、前記爪革から、前記前足開口を通じて、前記爪革から前記第一舌部の反対の端部に位置付けられる前記第一舌部の遠位端部縁部に延び、
可撓性材料の爪革を含む可撓性材料の第二舌部を含み、該第二舌部の爪革は、前記第一舌部の下で前記底の前記頂部表面に取り付けられ、該第二舌部は、前記第一舌部の右側縁部及び左側縁部から分離された対向する右側縁部及び左側縁部を備える長さを有し、該第二舌部の長さは、前記前足開口を通じて、前記第一舌部の前記遠位端部縁部から分離された第二舌部の遠位端部縁部まで延び、
前記第二舌部は、前記第一舌部の視覚的外観と異なる視覚的外観を有する材料で構成される、
靴構造。
【請求項１２】
前記第一舌部は、前記第二舌部から分離された前記第一舌部の長さに沿って移動可能である、請求項１１に記載の靴構造。
【請求項１３】
前記前足開口の１つの側に一列に配置される第一の複数の孔と、前記前足開口の反対の側に一列に配置される第二の複数の孔と、
前記前足開口を横断して並びに前記第一舌部及び前記第二舌部を横断して、前記第一の複数の孔と前記第二の複数の孔との間に延在する、少なくとも１つの調節可能な締結具とをさらに含む、
請求項１２に記載の靴構造。
【請求項１４】
前記少なくとも１つの調節可能な締結具は、前記第一の複数の孔及び前記第二の複数の孔の両方の孔を通じて延在する紐であり、
前記第一舌部及び前記第二舌部の両方は、前記靴内部と前記紐との間に位置付けられる、
請求項１３に記載の靴構造。
【請求項１５】
前記第一舌部及び前記第二舌部の両方の長さは、前記前足開口を全体的に通じて延在する、請求項１１に記載の靴構造。
【請求項１６】
前記第一舌部及び前記第二舌部は、実質的に等しい幅を有し、前記第一舌部及び前記第二舌部は、実質的に等しい長さを有する、請求項１１に記載の靴構造。
【請求項１７】
前記第一舌部及び前記第二舌部は、異なる視覚的外観を有する、請求項１１に記載の靴構造。
【請求項１８】
前記第一舌部及び前記第二舌部は、異なる材料で構成される、請求項１１に記載の靴構造。
【請求項１９】
前記第一舌部材料は、前記爪革材料の延長である、請求項１１に記載の靴構造。
【請求項２０】
前記第一舌部の右側縁部及び左側縁部は、前記靴内部と前記右側部分及び前記左側部分のそれぞれとの間に位置付けられる、請求項１１に記載の靴構造。
【発明の詳細な説明】
【技術分野】
【０００１】
本発明は、特異な審美的に心地よい外観をもたらすと同時に靴構造も強化する、新規な靴構造に関する。具体的には、本発明は、靴が靴底から上向きに並びに靴甲の前方内の前足開口を横断して延びる第一舌部と、第一舌部から分離され且つ第一舌部の下で靴底から上向きに延びる第二舌部とを備える、靴構造に関する。
【背景技術】
【０００２】
オックスフォード編上げバスケットボール靴（バスケットボールシューズ）は、多年に亘って運動競技用に極めて大衆的に普及した靴である。より近年には、運動競技における靴の使用に加えて、靴は、審美的に心地よい外観を有する快適なカジュアル靴（カジュアルシューズ）としても極めて大衆的に普及している。この種類の靴は、運動競技レジャー靴（アスレジャーシューズ）として知られている。これは、可撓性があり通気性のある織物、例えば、帆布（キャンバス）で構成される甲を有する、オックスフォード編上げバスケットボール靴に特に該当する。
【発明の概要】
【発明が解決しようとする課題】
【０００３】
オックスフォードバスケットボール靴又は運動競技レジャー靴一般の人気の増大に伴い、ファッションの最新動向に遅れずについていくことによって靴の市場性を維持するために、新しい外観が探求されている。しかしながら、オックスフォード靴の快適な構造を維持するために、ファッション動向に遅れずについていくための靴に対する変化は、靴の製造において利用される織物の色又は模様における変化に限定されている。しかしながら、靴を構築するのに利用される材料の色又は模様は限定的であり、靴の快適な構造を損ねずに靴の新規で審美的に心地よい外観を提供する必要を生み出している。
【課題を解決するための手段】
【０００４】
本発明は、靴の快適な構造を損なわずに、オックスフォード編上げバスケットボール靴の新規で審美的に心地よい外観を提供すると同時に、靴の構造を実際的に強化するという問題を克服する。本発明は、元々の靴構造を実質的に変更せずに靴構造に新規な変更をもたらす。本発明の運動競技レジャー靴は、大衆的に普及したオックスフォード編上げバスケットボール靴と基本的に同じ構造を有するが、靴の伝統的な舌部の下に位置付けられる追加的な内側舌部を備え、且つ、靴のための新規で審美的に心地よい外観をもたらす。
【０００５】
本発明の靴構造は、典型的な運動競技レジャー靴、例えば、バスケットボールオックスフォードの構造に利用される靴底と実質的に同じ靴底を有する。本発明の靴構造は甲も含み、甲は靴底から甲の頂部縁部まで上向きに延びる。甲の頂部縁部は、靴の前足開口と、着用者の足のための靴内部へのアクセスを提供する踝開口とを定める。舌部も、靴底から前足開口を通じて上向きに延びる。調節可能な締結具、好ましくは、紐が、前足開口を横断して延び、紐を締め且つ結ぶことによって下部及び着用者の足を覆って甲の両側を共に調節可能に固定するが、それらの全ては従来的である。
【０００６】
本発明の靴の新規な構造は、靴底から上向きに延びる第二の内側舌部によってもたらされる。第二舌部は、靴の第一の従来的な舌部の下で上向きに延びる。内側の第二舌部は、第一の外側舌部と基本的に同じ構造を有し、外側舌部と同程度まで底から上向きに延びる。加えて、第二の内側舌部は、靴の靴底及び先革での２つの重なり合う舌部の接続のため以外には、第一の外側舌部に付着されないままとされる。
【０００７】
よって、二重の重なり合う舌部を備える靴構造は、靴の快適な構造を損なわずに、新規で審美的に心地よい外観を靴に与える。さらに、第一舌部及び第二舌部を提供することによって、紐の地域における靴構造は、二重に重なり合う舌部によって強化される。
【０００８】
本発明のさらなる機能は、本発明の好適実施態様の以下の詳細な記載及び図面中に示されている。
【図面の簡単な説明】
【０００９】
【図１】本発明の左靴の前部を示す斜視図であり、本発明の右靴は左靴構造と鏡像複製である構造を有する。
【図２】図１に示される靴を示す上面図である。
【図３】図１に示される靴を示す左側面図である。
【図４】図１に示される靴を示す右側面図である。
【図５】図１に示される靴を示す背面図である。
【図６】図１に示される靴を示す正面図である。
【発明を実施するための形態】
【００１０】
本発明の運動競技レジャー靴１２の二重舌部構造は、オックスフォード編上げバスケットボール靴の基本構造を有する。例外は、靴１２の新規な構造が、靴の第一の外側舌部とは別個の第二の内側舌部を備えるということである。これは特異な審美的な外観を備える靴をもたらし、靴紐の地域内の靴に可撓性材料の二重層を提供することによって靴を強化する。図面中に示される靴１２の好適実施態様において、靴はハイトップ型オックスフォードバスケットボール靴である。しかしながら、本発明の新規な着想は他の種類の靴にも利用され得ることが理解されるべきである。本発明の靴１２の構造の殆どは従来的なオックスフォード編上げバスケットボール靴の構造と同じであるので、構造の従来的な機能はここでは一般的にのみ記載される。
【００１１】
靴１２は、運動競技靴の底の構造に典型的に利用される弾性材料の構造である靴底１４を有する。靴底１４は、従来的であるように、表底と、中底と、挿入物とで構成され得る。靴底１４は、靴の牽引表面として機能する底部表面１６と、靴の内部２２内の反対の頂部表面１８とを有する。靴１２のサイズは靴底の後方の踵端部２４から前方の趾端部２６まで延びる長さを有し、靴１２は靴底の右側２８と左側３２との間の幅を有する。
【００１２】
靴甲３４は、従来的であるように、靴底１４に固定され、靴底頂部表面１８から上向きに延びる。靴甲３４は、可撓性材料、例えば、革又はキャンバスのような織物で構成される。甲２４は、靴底踵端部２４で靴底得頂部表面１８の周りに延在する。靴甲踵部分３６は、靴底１８から、靴内部２２への踝開口４２を定める甲の鍔縁部３８まで上向きに延びる。
【００１３】
踵部分３６から、靴甲３４は、靴底右側２８及び靴底左側３２に沿ってそれぞれ前方に延びる、右側部分４４と左側部分４６とを有する。靴甲右側部分４４は、靴底右側２８から靴甲右側縁部４８まで上向きに延びる。靴甲左側部分４６は、靴底左側３２から靴甲左側縁部５２まで延びる。図面中に見られるように、靴甲右側縁部４８及び靴甲左側縁部５２は、靴甲鍔縁部３８の両側から靴底の前方趾端部２６に向かって前方に延びる。靴甲右側縁部４８及び靴甲左側縁部５２の長さは、靴内部２２に開口する靴甲３４内の前足開口５４を定める。
【００１４】
靴甲３４は、靴底趾端部２６で靴底頂部表面１８の周りに並びに横断して延在する先芯又は先革５６でも構成される。先芯５６は、靴甲右側部分４４と靴甲左側部分４６との間に接続され、靴底趾端部２６に隣接して靴内部２２の一部を取り囲む。靴甲右側端部４８及び靴甲左側縁部５２は、先芯５６から後方に延びる。
【００１５】
第一の複数の孔６２が、靴甲右側部分４４上に設けられ、第二の複数の孔６４が、靴甲左側部分４６上に設けられる。孔６２，６４は、好ましくは、紐開口であり、靴の前足開口を覆う靴甲を閉じる紐の一部によって典型的に占められる靴甲上の開口を意味する。孔６２，６４は、靴に紐開口を提供するあらゆる既知の手段によって、例えば、Ｄリング又は高速紐縛りフック(speed  lacing  hook)によって提供され得る。しかしながら、本発明の好適実施態様では、孔６２，６４は、靴甲右側部分４４上の第一の複数のアイレット又はグロメット６６、及び、靴甲左側部分４６上の第二の複数のアイレット又はグロメット６８によって提供される。アイレット６６，６８は、所望の従来的な編上げ靴外観をもたらす。孔６２，６４は、従来的であるように、靴甲右側縁部４８に沿って並びに靴甲左側縁部５２に沿って一列に配置される。図面中に見られるように、孔６２，６４は、靴甲鍔縁部３８と靴甲先芯５２との間で、靴甲右側縁部４８及び靴甲左側縁部５２の実質的全長に延在する。
【００１６】
靴甲３４は、先芯５６の後方に位置付けられる爪革７２又は喉部と、爪革７２から前足開口５４を通じて後方に延びる舌部７４とを含む。舌部７４は、靴甲右側部分４４及び靴甲左側縁部５２の長さに沿って舌部の遠位端部に延びる。舌部７４は、舌部の右側縁部７８と左側縁部８２との間の幅を有する。舌部の長さ及び幅は、舌部側部縁部を靴甲右側部分４４及び靴甲左側部分４６の下にそれぞれ位置付け、舌部を靴の前足開口５４を覆って延ばす。
【００１７】
この時点までの靴１２の構造は、殆どの部分に関して、従来的である。本発明の特異な靴構造は、靴底１４に同様に固定され且つ第一の外側舌部７４の下で靴底頂部表面１８から上向きに延びる第二の内側舌部８４によってもたらされる。第二の内側舌部８４は、第一の外側舌部７４と同様に構成される。内側舌部８４は、靴の外部上の爪革７２と同じ構成を有し且つ靴の外部上の爪革７２と一致して下に位置する爪革（図示せず）も含む。第二の内側舌部８４の爪革は、外部爪革７２と同様に、靴底の趾端部２６の周りで靴底１４に固定され、先芯５６の内部表面に固定される。第二の内側舌部８４は、内側爪革（図示せず）から前足開口５４を通じて後方に延びる。第二舌部８４は、靴甲右側部分４４及び靴甲左側部分４６の長さに沿って第二舌部８４の遠位端部８６まで延びる。第二舌部８４は内側爪革から後方に延びるので、第二舌部８４は、第二舌部の全長に沿って第一舌部７４から完全に分離される。第二舌部８４は、舌部の右側縁部８８と左側縁部９２との間の幅寸法を有する。第二舌部８４の長さ及び幅寸法は、第一舌部７４の長さ及び幅寸法と同じである。加えて、第二舌部８４は、第一舌部７４のように、可撓性材料、例えば、革又は織物で構成される。靴１２の外観を向上するために、第二舌部８４は、第一舌部７４の視覚的外観と異なる視覚的外観を有する、例えば、異なる色を有する材料で構成され得るし、或いは、第一舌部７４と異なる材料で構成され得る。
【００１８】
調節可能な締結具が、前足開口５４を横断して並びに靴の前足開口５４内に位置付けられる２つの別個の舌部７４，８４を横断して延びる。調節可能な締結具は、靴甲右側部分４４を靴甲左側部分４６と調節可能に接続する。本発明の好適実施態様において、調節可能な締結具は、靴紐９４の形態で提供される。紐９４は、任意の従来的な方法で、右アイレット孔６２及び左アイレット孔６４を通じて通される。紐９４は、好ましくは、前足開口５４を横断して並びに２つの舌部７４，８４の二重層を横断して延びる。２つの舌部によって提供される材料の二重層は、紐９４の地域において靴構造の強化をもたらす。靴の審美的な外観を変更するために、紐９４は、アイレット孔６２，６４の一部を通じてのみ前足開口５４を横断して縫い上げられ得る。これは、靴を履く（着用する）ときに、両方の舌部を視覚的に見せるために、２つの舌部７４，８４が互いに対して分離されることを可能にする。この構造は図１中に示されており、第一の外側舌部７４は、紐９４の上に部分的に折り返され、第一舌部の下の第二の内側舌部８４を露出する。靴と共に使用される調節可能な締結具としては紐９４が好ましいが、当該技術分野において既知であり且つ靴と共に使用される他の均等な締結具、例えば、弾性バンド又はマジックテープ（登録商標）（ベルクロ）ストラップも使用され得る。
【００１９】
本発明の靴は、靴の具体的な実施態様を参照することによって上述されたが、以下の請求項によって提供される意図される保護範囲から逸脱せずに、修正及び変更が既述の靴に対して行われ得ることが理解されるべきである。
【図１】
0005546862.tif 000002
【図２】
0005546862.tif 000003
【図３】
0005546862.tif 000004
【図４】
0005546862.tif 000005
【図５】
0005546862.tif 000006
【図６】
0005546862.tif 000007